(57)【特許請求の範囲】
【請求項１】
建物の壁又は天井の開口部に取り付けられる外枠と、
前記外枠に対して開閉自在に取付けられ、枠の内周縁から内方に突出する縁部を有する内枠と、
前記内枠に取付けられ、所定の厚みを有する断熱部材と、
蓋板の周縁を前記内枠の縁部上に載置し、載置された前記蓋板の上に前記断熱部材を載置した状態で、前記内枠に前記断熱部材を固定するためのクリップ部材と、
を備えることを特徴とする建物用点検口。
【請求項２】
前記断熱部材は、前記蓋板と接する下面側の周縁から上面側の周縁に向けて内側に傾斜するテーパ部を有することを特徴とする請求項１に記載の建物用点検口。
【請求項３】
前記クリップ部材は、コの字形状をしており、一方の端部には前記内枠に係合する内枠係合部が形成され、他方の端部には前記断熱部材に係合する断熱部材係合部が形成されていることを特徴とする請求項１又は２に記載の建物用点検口。
【発明の詳細な説明】
【技術分野】
【０００１】
本発明は、建物用点検口に関するものである。
【背景技術】
【０００２】
建物においては、作業者が建物の壁や天井の内側を保守・点検するために、壁や天井に点検口が設けられている。従来の点検口としては、外枠と、内枠と、内枠に取付けられる蓋板とからなり、内枠は外枠に対して開閉機構を介して接続されているものがある。蓋板としては、点検口と周囲の色模様が同じものとなるように、施工現場において、点検口を設けるための開口部を壁や天井に形成する際に切り出された開口部の壁材、天井材などの板材がそのまま使用されている。
【０００３】
また、近年、省エネルギー住宅として高気密高断熱住宅が注目されるようになってきており、点検口においては、外枠や開口部に断熱部材を用いるようになってきている（特許文献１）。
【先行技術文献】
【特許文献】
【０００４】
【特許文献１】特開２００１−３４９０４７号公報
【発明の概要】
【発明が解決しようとする課題】
【０００５】
従来の点検口において開口部に設置される断熱部材は、蓋板を取付けた内枠上に載置され、内枠を開口して点検する際には、断熱部材を邪魔にならない場所へ遠ざけるようにし、点検後には再び元の位置に戻したのち閉口するようにして用いられるため、点検作業が煩わしいものとなっていた。
【０００６】
また、天井などの水平壁に設けた点検口に断熱部材を用いる場合には、断熱部材を内枠上に載置して用いることができるが、壁などの垂直壁に設けた点検口の場合は、断熱部材を脱落させないように保持するための構造が必要となる。この場合、予め断熱部材を内枠に取付けてしまうと、施工現場で加工する蓋板を内枠に取付けることができなくなってしまう。また、施工現場で接着剤等を使用して断熱部材を内枠に取り付けてしまうと、手間がかかるうえに、断熱部材だけの交換ができなくなってしまう。
【０００７】
更に、要求される断熱効果を得るために断熱部材自体比較的大きい厚みを有していることから、内枠に取付けてしまうと、断熱部材の周縁が外枠に当接して内枠の開閉が困難になってしまう場合がある。
【０００８】
本発明は、施工現場において、内枠に蓋板及び断熱部材を容易に取付けることができ、点検時に断熱部材を遠ざけたり戻したりする必要のない、壁点検口、天井点検口などの建物用点検口を提供することを目的とする。また、断熱部材を内枠に取付けても、内枠のスムーズな開閉を行うことができる建物用点検口を提供することを目的とする。
【課題を解決するための手段】
【０００９】
上記課題を解決するための本発明に係る建物用点検口は、建物の壁又は天井の開口部に取り付けられる外枠と、前記外枠に対して開閉自在に取付けられ、枠の内周縁から内方に突出する縁部を有する内枠と、前記内枠に取付けられ、所定の厚みを有する断熱部材と、蓋板の周縁を前記内枠の縁部上に載置し、載置された前記蓋板の上に前記断熱部材を載置した状態で、前記内枠に前記断熱部材を固定するためのクリップ部材と、を備えている。
【００１０】
上記の構成によれば、外枠に対して開閉自在に取付けられる内枠の縁部上に蓋板を載置し、載置された蓋板の上に断熱部材を載置した状態で、内枠に断熱部材をクリップ部材によって固定することができる。このため、接着剤や特別な工具を使用せずとも、内枠に断熱部材をクリップ部材により即座に取付けることができ、取付作業の作業性を向上させることができる。
また、内枠に断熱部材を取付けることができるため、点検作業時に断熱部材を取り出し、再び元の位置に戻して内枠を閉口する必要がない。更に、垂直壁に建物用点検口を設けるときであっても、断熱部材を保持するための新たな構造を必要としないので、垂直壁の建物用点検口として特に有効である。
【００１１】
また、本発明は上記発明に係る建物用点検口であって、前記断熱部材は、前記蓋板と接する下面側の周縁から上面側の周縁に向けて内側に傾斜するテーパ部を有している。
【００１２】
上記の構成によれば、断熱部材が、蓋板と接する下面側の周縁から上面側の周縁に向けて内側に傾斜するテーパ部を有しているため、内枠を開閉する際に断熱部材が外枠に接触するのを防止・軽減して、外枠に対する内枠の開閉をスムーズに行うことができる。
【００１３】
また、本発明は上記発明に係る建物用点検口であって、前記クリップ部材は、コの字形状をしており、一方の端部には前記内枠に係合する内枠係合部が形成され、他方の端部には前記断熱部材に係合する断熱部材係合部が形成されている。
【００１４】
上記構成によれば、クリップ部材が、コの字形状をしており、一方の端部には内枠に係合する内枠係合部が形成され、他方の端部には断熱部材に係合する断熱部材係合部が形成されているため、内枠、蓋板、及び、断熱部材をクリップ部材によって強固に係合して挟持することができる。
【発明の効果】
【００１５】
本発明によれば、施工現場において、内枠に蓋板及び断熱部材を容易に取付けることができ、点検時に断熱部材を遠ざけたり戻したりする必要のない、壁点検口、天井点検口などの建物用点検口を提供することができる。また、断熱部材を内枠に取付けても、内枠のスムーズな開閉を行うことができる建物用点検口を提供することができる。
【図面の簡単な説明】
【００１６】
【図１】（Ａ）は、本実施形態に係る建物用点検口を模式的に示す側面図である。（Ｂ）は、本実施形態に係る建物用点検口の縦断面図である。（Ｃ）は、本実施形態に係る建物用点検口の横断面図である。
【図２】（Ａ）は、本実施形態に係る断熱部材の斜視図である。
【図３】本字実施形態に係る断熱部材の５面図である。
【図４】本実施形態に係る発泡材製の断熱枠材の斜視図である。
【図５】本実施形態に係る発泡材製の断熱枠材の４面図である。
【図６】（Ａ）は、本実施形態に係るクリップ部材の裏面の斜視図である。（Ｂ）は、本実施形態に係るクリップ部材の表面の斜視図である。
【図７】本実施形態に係る建物用点検口の要部拡大説明図である。
【図８】（Ａ）は、本実施形態に係る内枠の開閉動作を説明する第一説明図である。（Ｂ）は、本実施形態に係る内枠の開閉動作を説明する第二説明図である。
【発明を実施するための形態】
【００１７】
（実施形態）
以下、図面を参照しつつ、本願発明の実施形態を説明する。
【００１８】
（建物用点検口１の構成）
本実施形態における建物用点検口１は、図１に示すように、建物の壁側面１０に形成された開口部１１に取り付けられて使用される。この建物用点検口１は、壁側面１０の開口部１１に取り付けられる外枠２と、外枠２に対して開閉自在に取付けられ、枠の内周縁から内方に突出する縁部３１を有する内枠３と、内枠３に取付けられる断熱部材５と、内枠３に断熱部材５を固定するためのクリップ部材６とを備えている。なお、本実施形態では、後述するように、内枠３に取り付けられる蓋板４として、開口部１１を形成するときに切り抜いた壁材を使用しているが、これに限らず、別途、用意した板材を蓋板４として使用してもよい。
【００１９】
壁側面１０に形成された開口部１１は、側面視矩形状をしている。また、壁側面１０の裏側には、開口部１１の全周に沿って、木製角材からなる下地材１２が設けられている。下地材１２は、図１（Ｂ）（Ｃ）に示すように、壁側面１０の開口部１１を塞がないように側面視矩形状に配置される。
【００２０】
また、図１及び図７に示すように、開口部１１の裏側には、図４及び図５に示す発泡材製の断熱枠材１３が下地材１２の全周に沿ってネジ止めにより固定設置されている。なお、図５に示すように、断熱枠材１３の断面は、内枠３を外枠２に対して閉鎖状態にした場合に、後述する断熱部材５のテーパ部Ｔと当接するように、テーパ部Ｔに対して逆テーパ状をしている（図５の逆テーパＩ）。また、断熱部材５の下端部１３１は、外枠２に当接する。
【００２１】
壁側面１０の開口部１１には、図１及び図７に示すように、外枠２が取り付けられている。外枠２は、壁側面１０の開口部１１の縁及び下地材１２の側面に当接する矩形状のアルミ製の枠体であり、水平方向に所定幅を有する。そして、８つのネジが、外枠２の四方の内側面に設けられた８つのネジ穴から、下地材１２に到達するように、外枠２にネジ止めされることにより、外枠２は、壁側面１０の開口部１１の縁及び下地材１２の側面に取り付けられている。
【００２２】
また、外枠２には、リンク機構１４を介して、内枠３が組み付けられており、内枠３は、外枠２内に納まるようになっている。開口部１１を覆っている。内枠３は、矩形状のアルミ製の枠体であり、水平方向に所定幅を有する。内枠３は、リンク機構１４により、内枠３長手方向の一辺（厳密には、該一辺と平行な仮想線）を軸線として、開閉可能であり、外枠２に対して最大で約１２０°開くことができる。内枠３が開いた状態で、外枠２と内枠３とは、接しておらず、間隔をあけて開閉する。また、外枠２の内側面には、下地材１２にネジ止めされる際のネジ穴が８つ設けられている。また、内枠３には、外枠２に対して内枠３を閉鎖状態でロックするためのロック機構１６が設けられている。
【００２３】
なお、リンク機構１４は、本出願人により出願されたものであり、複数のリンク機構の組み合わせからなり、緩徐に且つ滑らかな開閉動作を実現する。詳細については、特開２００７−１２６９４２号公報に開示されているので、ここでの説明は省略する。勿論、本実施形態において、外枠２と内枠３との開閉を行うための開閉機構は、リンク機構１４に限定されるものではなく、従来公知の開閉機構を採用することが可能であり、例えば、バネを用いた開閉機構を採用することができる。
【００２４】
また、内枠３の内周縁には、図１及び図７に示すように、内方に突出した縁部３１が形成されている。この内枠３の内周縁に設けられた縁部３１は、内枠３の内側から蓋板４が内枠３の縁部３１上に載置されるように嵌め込まれた際の位置決め的役割を果たす。また、内枠３の外周縁には、外方に突出した縁部３３が形成されている。また、内枠３の上端縁には外側に突出するフランジ部が形成されており、該フランジ部の先端を下方へ屈曲させることにより、後述するクリップ部材６の一方端部に設けられた内枠係合部６２を係止する溝３２が形成されている。
【００２５】
蓋板４は、建物用点検口１を取り付けるための開口部１１を形成するために壁側面１０から切り出された開口部１１に相当する壁材を内枠３に嵌め込める大きさに加工して作成される。これにより、蓋板４が内枠３に嵌め込まれた際に、開口部１１の周囲の壁側面１０と色模様が同じものとなる。また、蓋板４の四隅には、断面Ｌ字型のネジ受金具４１が取り付けられている。そして、図示しないが、この４つのネジ受金具４１に対応するように内枠３の側面に設けられた４つのネジ穴を介して、４つのネジ受金具４１にネジ止めされている。これにより、蓋板４が内枠３から外れるのを防止することが可能となる。
【００２６】
内枠３に取付けられる発泡材製の断熱部材５は、図７に示すように、外側の断熱カバー材５６の内部に２枚の直方体形状の断熱板材５７、５８を重ねて収納して一体にしたものであり、要求される断熱効果を得るために比較的大きい厚みがある。また、断熱部材５の外周縁には、段部５１及び凹部５２が設けられている。段部５１には、図２、図３及び図７に示すように、後述するクリップ部材６のフック状の断熱部材係合部６１が係合する溝５１１が段部５１の全周に沿って形成されている。凹部５２は、クリップ部材６を取り付ける位置を示すものであり、クリップ部材６を取り付けた際にクリップ部材６が断熱部材５の外側面から突出しないように、クリップ部材６の厚み分だけ凹んでいる。また、凹部５２は、断熱部材５の長手方向の両側面に合わせて６個、短手方向の両端に合わせて４個の合計１０個が設けられている。また、図３（Ｂ）に示すように、断熱部材５の下端部の四隅には、断熱部材５が蓋板４の上に載置された際に、蓋板４に設けられた４つのネジ受金具４１を納める凹部５９１が４つ設けられている。なお、断熱板材５７、５８に高性能断熱材を使用することにより、断熱部材５自体の厚みを薄くすることもできる。
【００２７】
また、断熱部材５は、図２、図３及び図８（Ａ）（Ｂ）に示すように、下面側の周縁５４から上面５５側の周縁５９に向けて内側に傾斜するテーパ部Ｔを有している。このため、断熱部材５の上面５５側の周縁５９を含む面積は、断熱部材５の下面側の周縁５４を含む面積よりも小さくなっている。
【００２８】
なお、図３に示した断熱部材５の外周面は、全体として下方へ向かって裾が広がるようにテーパ部Ｔが設けられているが、図７に示すように、断熱部材５の外周面の上部をほぼ垂直に立ち上がらせ、下部を下方へ向かって裾広がりとなるようにテーパ部Ｔを形成するようにしてもよい。また、断熱部材５の下端部周縁には、内枠３の上端縁から外側に突出するように形成されたフランジ部上面に倣う段部５９２が形成されており、段部５９２と段部５１とによりテーパ部Ｔの一部が突出したようになっている（図３（Ｂ）参照）。そして、断熱部材５の下端部周縁に形成された段部５９２は、内枠３の上記フランジ部上に搭載され、段部５９２から下方の断熱部材５の下端部が内枠３内に嵌め込まれた状態で、上記テーパ部Ｔの突出した箇所の上下に亘って形成された凹部５２にクリップ６を取付けることで、断熱部材５を内枠３に取付、固定することができる。
【００２９】
内枠３に断熱部材５を取付固定するクリップ部材６は、プラスチック製であり、図６（Ａ）（Ｂ）に示すように、コの字形状をしており、一方の端部には内枠３の溝３２に係合するフック状の内枠係合部６２が形成され、他方の端部には断熱部材５の段部５１に形成された溝５１１に係合する断熱部材係合部６１が形成されている。なお、クリップ部材６は、断熱部材係合部６１及び内枠係合部６２が、内枠３の溝３２及び断熱部材５の溝５１１に係合する際に変形できるほどの弾力性を有している。
【００３０】
内枠３には、図７に示すように、樹脂製の縁材１５が内枠３の縁部３１及び縁部３３を覆うように取り付けられている。また、内枠３の縁部３３には、縁部３３と外枠２とが当接する部分に、樹脂シール製の気密材３４が取り付けられており、外枠２と内枠３との間の気密性が保たれている。
【００３１】
（建物用点検口１の取付手順）
次に、建物用点検口１の取付手順の一例を、蓋板４及び断熱部材５を内枠３に取付ける手順と、建物用点検口１を壁側面１０に取付ける手順とに分けて説明する。
【００３２】
（蓋板４及び断熱部材５を内枠３に取付ける手順）
まず、壁側面１０に建物用点検口１の外枠２が嵌まる大きさの開口を切り抜いて開口部１１を形成する。そして、開口部１１を形成するために壁側面１０から切り出された開口部１１に相当する壁材を、蓋板４に加工して、蓋板４の四隅にネジ受金具４１を取り付ける。
【００３３】
次に、外枠２に対しリンク機構１４により取付けられた内枠３内に、蓋板４の周縁部を内枠３の内周縁に設けられた縁部３１上に載置して収容し、断面Ｌ字状のネジ受金具４１及びネジにより、内枠３の内周面と蓋板４の上面とを４ヶ所固定して取付ける。
【００３４】
次に、内枠３に取付けた蓋板４を上方から覆うように、断熱部材５を内枠３上に載置する。
【００３５】
そして、クリップ部材６を断熱部材５の凹部５２の位置に沿わせて、クリップ部材６の内枠係合部６２を内枠３の溝３２に係合させてから、クリップ部材６の断熱部材係合部６１が断熱部材５の溝５１１に係合するようにクリップ部材６を押し込むことにより、内枠３に、蓋板４及び断熱部材５を取付固定する。同様の手順により、１０個のクリップ部材６によって内枠３に、蓋板４及び断熱部材５を取付固定する。なお、蓋板４を、ネジ受金具４１を用いることなく、断熱部材５をクリップ６で内枠３に組み付けることによって、内枠３の縁部３１と断熱部材５の下面とで挟持するようにして、内枠３に取付けるようにすることもできる。
【００３６】
（建物用点検口１を壁側面１０に取付ける手順）
まず、壁側面１０の裏側に、開口部１１の全周に沿って、木製角材からなる下地材１２を取り付ける。なお、下地材１２は、壁側面１０の開口部１１を塞がないように取り付ける。
【００３７】
次に、図１及び図７に示すように、開口部１１の裏側において、発泡材製の断熱枠材１３を下地材１２の内周面にネジ止めすることによって固定する。
【００３８】
最後に、上記のようにして組み上げた建物用点検口１の内枠３を外枠２に対して開放した状態で、外枠２を下地材１２の内周面にネジ止めすることにより固定する。これにより、建物用点検口１が壁側面１０の開口部１１に取り付けられる。
【００３９】
以上の手順により、建物用点検口１の壁側面１０への取付作業が完了する。なお、手順は、上記のものに限らず、順序は、便宜変更可能である。
【００４０】
（内枠３の開閉動作）
次に、建物用点検口１おける内枠３の開閉動作について説明する。
【００４１】
ロック機構１６を解除して、図８（Ａ）（Ｂ）に示すように、内枠３の下部を持ち上げて、手前に引っ張ることにより、リンク機構１４の軸線を中心に内枠３を外枠２に対して開けることができる。なお、本実施形態では、内枠３は外枠２に対して最大で約１２０°上方に開くことができる。また、内枠３を１２０°まで開けると、その状態のまま保持することができる。なお、蓋板４及び断熱部材５は、内枠３にクリップ部材６により挟持されているので、外れて落下することはない。
【００４２】
また、内枠３の下部を押し込み、ロック機構１６をロックした状態にすることで、内枠３を外枠２に対して閉鎖状態にすることができる。
【００４３】
なお、図８に示すように、断熱部材５がテーパ部Ｔを有しているため、内枠３の開閉をする際に、断熱部材５が外枠２に接触することなく、スムーズに行うことができる。
【００４４】
上記の構成によれば、外枠２に対して開閉自在に取付けられる内枠３の縁部３１上に蓋板４を載置し、載置された蓋板４の上に断熱部材５を載置した状態で、内枠３に断熱部材５をクリップ部材６によって固定することができる。このため、接着剤や特別な工具を使用せずとも、内枠３に断熱部材５をクリップ部材６により即座に取付けることができ、取付作業の作業性を向上させることができる。
【００４５】
また、内枠３に断熱部材５を取付けることができるため、従来のように、点検作業時に断熱部材５を取り出し、再び元の位置に戻して内枠３を閉口する必要がない。更に、垂直な壁側面１０に建物用点検口１を設けるときであっても、断熱部材５を保持するための新たな構造を必要としないので、垂直な壁の点検口として特に有効である。
【００４６】
また、断熱部材５が、蓋板４と接する下面側の周縁５４から上面５５側の周縁５９に向けて内側に傾斜するテーパ部Ｔを有しているため、内枠３を開閉する際に断熱部材５が外枠２に接触するのを防止・軽減して、外枠２に対する内枠３の開閉をスムーズに行うことができる。
【００４７】
また、クリップ部材６が、コの字形状をしており、一方の端部には内枠３に係合する内枠係合部６２が形成され、他方の端部には断熱部材５に係合する断熱部材係合部６１が形成されているため、内枠３、蓋板４、及び、断熱部材５をクリップ部材６によって強固に係合して挟持することができる。
【００４８】
なお、本実施形態では、内枠３の内周縁に、内方に突出した縁部３１が形成され、内枠３の外周縁に、外方に突出した縁部３３が形成された構成としているが、これに限らず、内枠３に直接縁部３１、３３を形成せずに、内枠３の周縁に、内枠３の内外方向に突出した縁材１５を取り付けて、内枠３の内方に突出してフランジ状になった縁材１５の一部を、縁部（本実施形態における縁部３１に相当）としてもよい。
【００４９】
以上の詳細な説明では、本発明をより容易に理解できるように、特徴的部分を中心に説明したが、本発明は、以上の詳細な説明に記載する実施形態に限定されず、その他の実施形態にも適用することができ、その適用範囲は可能な限り広く解釈されるべきである。また、本明細書において用いた用語及び語法は、本発明を的確に説明するために用いたものであり、本発明の解釈を制限するために用いたものではない。また、当業者であれば、本明細書に記載された発明の概念から、本発明の概念に含まれる他の構成、システム、方法等を推考することは容易であると思われる。従って、請求の範囲の記載は、本発明の技術的思想を逸脱しない範囲で均等な構成を含むものであるとみなされるべきである。また、本発明の目的及び本発明の効果を充分に理解するために、すでに開示されている文献等を充分に参酌することが望まれる。
【符号の説明】
【００５０】
１  建物用点検口
２  外枠
３  内枠
４  蓋板
５  断熱部材
６  クリップ部材
１０  壁側面
１１  開口部
３１  縁部
６１  断熱部材係合部
６２  内枠係合部
Ｔ  テーパ部
【図１】
0005852398.tif 000002
【図２】
0005852398.tif 000003
【図３】
0005852398.tif 000004
【図４】
0005852398.tif 000005
【図５】
0005852398.tif 000006
【図６】
0005852398.tif 000007
【図７】
0005852398.tif 000008
【図８】
0005852398.tif 000009